(57)【要約】      （修正有）【課題】圧入時にバスバーの位置ずれや傾きが生じることや、ケースに取り付けられたバスバーが外力で変形するのを防止できるようにする。【解決手段】コネクタ１は、フラットケーブル１０が挿入される間口３を備えたハウジング２と、ハウジング２と一体に形成されて、間口３に挿入されたフラットケーブル１０の係止孔１１に係止する可撓性を有した係止部と、係止部と一体に形成された係止解除レバー９とを備えている。ハウジング２は、間口３に連通した開口６を備え、係止部は、開口６の周縁から間口３内に延び、係止解除レバー９は、係止部の端部から開口６の入口にまで延びている。開口６の周囲には保護カバー７が形成されている。係止部及び係止解除レバー９は、間口３の幅方向の両端部に形成されている。【選択図】図１
2015023017.tif 000002
【特許請求の範囲】
【請求項１】
フラットケーブルが挿入される間口を備えたハウジングと、
該ハウジングと一体に形成されて、前記間口に挿入された前記フラットケーブルの係止孔に係止する可撓性を有した係止部と、
該係止部と一体に形成された係止解除レバーとを備えることを特徴とするコネクタ。
【請求項２】
前記ハウジングは、前記間口に連通した開口を備え、
前記係止部は、前記開口の周縁から前記間口内に延び、
前記係止解除レバーは、前記係止部の端部から前記開口の入口にまで延びていることを特徴とする請求項１に記載のコネクタ。
【請求項３】
前記開口の周囲には保護カバーが形成されていることを特徴とする請求項２に記載のコネクタ。
【請求項４】
前記係止部及び前記係止解除レバーは、前記間口の幅方向の両端部に形成されていることを特徴とする請求項１〜３の何れかに記載のコネクタ。
【発明の詳細な説明】
【技術分野】
【０００１】
本発明は、コネクタに関する。
【背景技術】
【０００２】
下記の特許文献１に示すように、ハウジングに備えられた間口にフラットケーブルが挿入されるコネクタでは、フラットケーブルの係止孔に係止部を係止させて、フラットケーブルの抜けを規制している。このコネクタでは、係止部による係止を解除するためのレバーと係止部とが別々の部品に形成されていた。
【先行技術文献】
【特許文献】
【０００３】
【特許文献１】特開２０１１−４０２４６号公報
【発明の概要】
【発明が解決しようとする課題】
【０００４】
上記従来の取付構造では、コネクタの部品点数が多くなり、組み立てに手間が掛かるという問題があった。
【０００５】
本発明は斯かる課題に鑑みてなされたもので、上記課題を解決できるコネクタを提供することを目的とする。
【課題を解決するための手段】
【０００６】
このような目的を達成するために、本発明のコネクタは、フラットケーブルが挿入される間口を備えたハウジングと、該ハウジングと一体に形成されて、前記間口に挿入された前記フラットケーブルの係止孔に係止する可撓性を有した係止部と、該係止部と一体に形成された係止解除レバーとを備えることを特徴とする。
また、本発明は、前記ハウジングは、前記間口に連通した開口を備え、前記係止部は、前記開口の周縁から前記間口内に延び、前記係止解除レバーは、前記係止部の端部から前記開口の入口にまで延びていることを特徴とする。
また、本発明は、前記開口の周囲には保護カバーが形成されていることを特徴とする。
また、本発明は、前記係止部及び前記係止解除レバーは、前記間口の幅方向の両端部に形成されていることを特徴とする。
【発明の効果】
【０００７】
本発明によれば、係止部及び係止解除レバーが一体となってハウジングに形成されることで、コネクタの部品点数を削減することができる。
【図面の簡単な説明】
【０００８】
【図１】本発明の一実施形態のコネクタ及びフラットケーブルを示す斜視図である。
【図２】図１のＡ−Ａ矢視断面図である。
【図３】コネクタにフラットケーブルが装着される状態を示す斜視図である。
【図４】図３のＢ−Ｂ矢視断面図である。
【図５】図３のＢ−Ｂ矢視断面図である。
【発明を実施するための形態】
【０００９】
以下、図面を参照して、本発明の一実施形態を説明する。
【００１０】
図１に示すコネクタ１は、フラットケーブル１０を基板上の回路に接続するためのものであり、フラットケーブル１０が挿入される間口３をハウジング２に備えている。間口３は、ハウジング２の幅方向の一端部から他端部にかけて、所定の高さで水平に延びている。間口３の下縁部からは、図１，２に示すように、ハウジング２の前縁部にかけて支持部２１が延びている。
【００１１】
ハウジング２の間口３が開口した面と反対側の面には、端子４の挿入口が形成されている。端子４は、上下一対の可撓片を備えており、挿入口からハウジング２内に装着される。端子４は、上下の可撓片でフラットケーブル１０を挟み込んで、フラットケーブル１０に形成された回路に接続される。
【００１２】
ハウジング２の幅方向の両側面には、タブ５が取り付けられている。タブ５は、ハウジング２を基板に固定するためのものである。
【００１３】
ハウジング２の上面には、間口３に連通した開口６が形成されている。開口６は、ハウジング２の幅方向の両端部に形成されて、方形の開口形状を有している。開口６は、間口３の幅方向の両端部に連通している。開口６の周囲には、リブ状の保護カバー７が形成されている。保護カバー７は、間口３の入口側に位置した開口６の縁部を除く開口６の縁部に沿って形成されている。開口６の周縁と保護カバー７の形成位置との間には、所定の間隔が設けられている。
【００１４】
図２に示すように、開口６の周縁部の間口３に対向した面には、係止部８が形成されている。係止部８は、ハウジング２と一体に形成されており、可撓性を有している。係止部８は、間口３の入口側から奥側（フラットケーブル１０の挿入方向）に向けて斜めに直線状に延びている。係止部８は、間口３に挿入されたフラットケーブル１０の先端に押圧されてフラットケーブル１０の挿入方向に沿って撓むよう、ハウジング２の開口６側の間口３の周縁の壁部に比べ、肉薄に形成されている。係止部８の先端は、間口３の入口側から奥側（フラットケーブル１０の挿入方向）に向けてフラットケーブル１０の挿入方向に平行に延びている。この係止部８の先端部の長さは、フラットケーブル１０が備える係止孔１１のフラットケーブル１０の挿入方向への長さよりもやや短くなっている。
【００１５】
係止部８には、係止解除レバー９が一体に形成されている。係止解除レバー９は、フラットケーブル１０の挿入方向に沿って操作されることで、係止部８を操作方向に撓ませる。係止解除レバー９は、係止部８の先端から開口６の入口にまで直線状に延びている。係止解除レバー９は、係止解除レバー９がレバー操作された際に、係止部８が撓んでも直線状の状態が保たれるようフラットケーブル１０の挿入方向の厚さが係止部８よりもやや肉厚に形成されている。係止解除レバー９の先端は、開口６から操作者が指で摘んで操作できるよう、保護カバー７の上面と同じ高さまで、開口６の外側に延びている。
【００１６】
次に、コネクタ１に対するフラットケーブル１０の挿入方法を説明する。
【００１７】
まず、図３，図４（ａ）に示すように、ハウジング２の支持部２１上にフラットケーブル１０の先端部を配置する。コネクタ１は、係止部８が間口３の下端まで延びており、係止解除レバー９が開口６内に向けて上方に延びている。図４（ｂ）に矢印で示すように、フラットケーブル１０がコネクタ１側に押し出されると、フラットケーブル１０の先端が間口３内に進入し、係止部８に当接する。
【００１８】
係止部８は、フラットケーブル１０の先端により間口３の奥側に撓む。これに伴い、係止解除レバー９が揺動し、先端をフラットケーブル１０の挿入方向と逆方向に開口６内で移動させる。係止部８は、図４（ｃ）に示すように、フラットケーブル１０の係止孔１１が係止部８の下方まで移動してくると、撓みが解けて先端を係止孔１１内に進入させる。
【００１９】
これにより、フラットケーブル１０の間口３の入口側への移動が係止部８により規制される。フラットケーブル１０は間口３内に突出した端子４の可撓片で挟まれ、フラットケーブル１０の回路が端子４に接続される。
【００２０】
次に、コネクタ１からのフラットケーブル１０の離脱方法を説明する。
【００２１】
まず、図５（ａ）に示す状態から、図５（ｂ）に矢印で示すように、係止解除レバー９の先端をフラットケーブル１０の挿入方向（係止解除方向）に移動させ、係止解除レバー９を揺動させる。これに伴い、係止部８が先端側を間口３の奥側に揺動させ、先端をフラットケーブル１０の係止孔１１の上方に移動させる。
【００２２】
これにより、フラットケーブル１０が間口３の入口側に移動可能となる。この状態で、図５（ｂ）に矢印で示すようにフラットケーブル１０を間口３の入口側に引き抜くと、フラットケーブル１０が係止部８に移動を規制されずに間口３内を移動し、図５（ｃ）に示すようにコネクタ１から離脱する。
【００２３】
本実施形態によれば、フラットケーブル１０の係止孔１１に係止する係止部８と、係止部８による係止を解除する係止解除レバー９とが一体となってハウジング２に形成されるので、コネクタ１の部品点数を削減することができる。
【００２４】
なお、上記実施形態では、フラットケーブル１０の幅方向の両端部に係止孔１１が形成されていたので、間口３の幅方向の両端部に係止部８及び係止解除レバー９が形成されている場合について説明したが、ハウジング２に設ける係止部８及び係止解除レバー９の数量は任意であり、係止孔１１の数量に応じて定めることができる。
【００２５】
また、上記実施形態では、係止解除レバー９が係止部８の端部から延びている場合について説明した。しかしながら、係止解除レバー９は、係止部８と一体に形成されて係止部８と共に撓めば良く、上記実施形態での構成には限定されない。また、上記実施形態では、開口６の周囲に保護カバー７が形成されている場合について説明したが、保護カバー７は必ずしも形成されている必要はない。
【符号の説明】
【００２６】
１      コネクタ
２      ハウジング
３      間口
４      端子
５      タブ
６      開口
７      保護カバー
８      係止部
９      係止解除レバー
１０    フラットケーブル
１１    係止孔
２１    支持部
【図１】
2015023017.tif 000003
【図２】
2015023017.tif 000004
【図３】
2015023017.tif 000005
【図４】
2015023017.tif 000006
【図５】
2015023017.tif 000007